(57)【要約】【課題】循環ポンプからの吐出側経路による循環水の回転ドラム内の衣類への吐出の効率を上げることで洗浄力の高いドラム式洗濯機を信頼性の高い簡易な構成で提供する。【解決手段】導水路５５ｂを水槽３の内壁と、水槽３の内壁に取り付けられたカバー５５により構成したことにより、仮に導水路５５ｂで洗浄水の漏れがあったとしても、水槽３内で完結するため機外への水漏れ等の不安全な状態に陥ることなく、また導水路５５ｂの断面積をホースに比べ大きく取れるので低損失の水循環経路１６が実現できるとともに、複数の噴射口５３から噴射される洗濯水の拡がりを少なくとも２種類有することにより、回転ドラム４の第１の開口５４付近や、回転ドラム４の中心付近から奥部分にある洗濯物のいずれに対しても早期に濡らし、洗浄水の効果を高めることができる。【選択図】図６
2014198258.tif 000002
【特許請求の範囲】
【請求項１】
正面側に第１の開口を有し有底円筒形に形成された回転ドラムと、前記第１の開口に対応して第２の開口を有するとともに前記回転ドラムを正面側から底部となる背面側に向けて回転軸方向が水平または水平方向から下向き傾斜となるようにして設置する水槽と、前記回転ドラムを回転制御するモータと、前記水槽内の洗濯水を前記水槽に接続した循環経路を通じ循環ポンプにより前記回転ドラム内に循環させる水循環経路とを備え、前記水循環経路は、前記水槽の前端壁に設けられ前記循環経路の循環ポンプからの吐出側経路が接続される導水路と、前記水循環経路に設けられ洗濯水を回転ドラム内に噴射する複数の噴射口とを有し、前記モータ、循環ポンプ等を駆動して洗浄工程、すすぎ工程の少なくとも１つが行えるドラム式洗濯機において、前記導水路を前記水槽の内壁と、前記水槽の内壁に取り付けられたカバーにより構成し、前記複数の噴射口から噴射される洗濯水の拡がりを少なくとも２種類有することを特徴とするドラム式洗濯機。
【請求項２】
導水路は、前記水槽の内壁に膨出部を設けたことを特徴とする請求項１記載のドラム式洗濯機。
【請求項３】
導水路は、前記カバーに膨出部を設けたことを特徴とする請求項１または２に記載のドラム式洗濯機。
【請求項４】
導水路は、回転ドラムの開口の中心に対し略周方向に配置されたことを特徴とする請求項１〜３のいずれか１項に記載のドラム式洗濯機。
【請求項５】
導水路は、回転ドラムの開口の中心を通る垂線に対し左右方向に配置されたことを特徴とする請求項４に記載のドラム式洗濯機。
【請求項６】
導水路は、前記カバーと前記水槽の内壁との間で設けられた吐出口を有することを特徴とする請求項１〜５のいずれか１項に記載のドラム式洗濯機。
【請求項７】
前記カバーは、前記循環ポンプからの配管の導水路への接続部の接続空間のカバーを兼ねたことを特徴とする請求項１〜６のいずれか１項に記載のドラム式洗濯機。
【請求項８】
前記カバーと前記水槽の内壁の間にシール部材を介して導水路を構成したことを特徴とする請求項１〜７のいずれか１項に記載のドラム式洗濯機。
【請求項９】
前記カバーと前記水槽の内壁の間を溶着して導水路を構成したことを特徴とする請求項１〜７のいずれか１項に記載のドラム式洗濯機。
【発明の詳細な説明】
【技術分野】
【０００１】
本発明は、有底円筒形に形成された回転ドラムを、開口する正面側から底部となる背面側に向けて回転軸方向が水平または水平方向から下向き傾斜となるようにして水槽内に設置し、回転ドラムを回転駆動することにより回転ドラム内に収容した洗濯物を洗濯するドラム式洗濯機に関するものである。
【背景技術】
【０００２】
このようなドラム式洗濯機で、水槽内の洗濯水を循環ポンプで循環させる循環機能を有したものが既に知られている（例えば、特許文献１および２参照）。
【０００３】
特許文献１は、循環手段による回転ドラム内への噴射を、回転ドラム前面側から回転ドラム中心側に、ノズルに少しずつ角度を変えて複数形成されている噴射口より噴射し、高容量の被処理物を効率よく洗浄するものである。
【０００４】
特許文献２は、循環ポンプのポンプケーシングは、前記ポンプ羽根車の正逆転に応じて吐出が切り替わる二つの吐出口を有することで、回転ドラムの正逆転に応じて洗い時やすすぎ時の洗濯水の掛ける向きが変わるものである。
【先行技術文献】
【特許文献】
【０００５】
【特許文献１】特開平１０−１２７９７８号公報
【特許文献２】特開２００８−０７３１２８号公報
【発明の概要】
【発明が解決しようとする課題】
【０００６】
しかし、上記特許文献１、２に開示の水循環技術は、それぞれポンプの吐出から吐出口にいたる導水経路をホースにより構成しているため、ホース自身や、洗浄、すすぎ、脱水時に衣類の偏りなどにより生じる回転ドラムのアンバランス振動に対する信頼性確保のための対策部材の増加や、振動絶縁不良などの課題があるとともに、複数の位置に吐出口を設ける毎に前記課題が増加するという課題を有していた。
【０００７】
本発明は、水槽内の水を循環ポンプにより循環させるのに、循環ポンプからの吐出側経路による循環水の回転ドラム内の衣類への吐出の効率を上げることで洗浄力の高いドラム式洗濯機の実現を信頼性の高い簡易な構成で提供することにある。
【課題を解決するための手段】
【０００８】
上記目的を達成するために本発明に係るドラム式洗濯機は、正面側に第１の開口を有し有底円筒形に形成された回転ドラムと、前記第１の開口に対応して第２の開口を有するとともに前記回転ドラムを正面側から底部となる背面側に向けて回転軸方向が水平または水平方向から下向き傾斜となるようにして設置する水槽と、前記回転ドラムを回転制御するモータと、前記水槽内の洗濯水を前記水槽に接続した循環経路を通じ循環ポンプにより前記回転ドラム内に循環させる水循環経路とを備え、前記水循環経路は、前記水槽の前端壁に設けられ前記循環経路の循環ポンプからの吐出側経路が接続される導水路と、前記水循環経路に設けられ洗濯水を回転ドラム内に噴射する複数の噴射口とを有し、前記モータ、循環ポンプ等を駆動して洗浄工程、すすぎ工程の少なくとも１つが行えるドラム式洗濯機において、前記導水路を前記水槽の内壁と、前記水槽の内壁に取り付けられたカバーにより構成し、前記複数の噴射口から噴射される洗濯水の拡がりを少なくとも２種類有するこ
とを特徴としている。
【０００９】
このような構成では、循環ポンプの吐出側の経路を水槽に一体に構成した接続部までの配管を振動絶縁のためホースで行い、接続部と一体に構成された水槽の内壁と、前記水槽の内壁に取り付けられたカバーにより構成された導水路及び噴射口を通じて噴射を行うため、仮に導水路で洗浄水の漏れがあったとしても、水槽内で完結するため機外への水漏れ等の不安全な状態に陥ることなく、また導水路の断面積をホースに比べ大きく取れるので低損失の水循環経路が実現できることから、循環ポンプからの吐出側経路による循環水の回転ドラム内の衣類への吐出の効率を上げることで洗浄力の高いドラム式洗濯機の実現を信頼性の高い簡易な構成で実現することが可能となる。
【００１０】
また、複数の噴射口から噴射される洗濯水の拡がりを少なくとも２種類有することにより、回転ドラムの第１の開口付近にある洗濯物や、回転ドラムの中心付近から奥部分にある洗濯物のいずれに対しても早期に濡らし、洗浄水の効果を高めることができる。
【発明の効果】
【００１１】
本発明のドラム式洗濯機によれば、導水路を水槽の内壁と、前記水槽の内壁に取り付けられたカバーにより構成することにより、接続部と一体に構成された水槽の内壁と、前記水槽の内壁に取り付けられたカバーにより構成された導水路及び噴射口を通じて噴射を行うため、仮に導水路で洗浄水の漏れがあったとしても、水槽内で完結するため機外への水漏れ等の不安全な状態に陥ることなく、また導水路の断面積をホースに比べ大きく取れるので低損失の水循環経路が実現できることから、循環ポンプからの吐出側経路による循環水の回転ドラム内の衣類への吐出の効率を上げることで洗浄力の高いドラム式洗濯機の実現を信頼性の高い簡易な構成で実現することが可能となる。
【図面の簡単な説明】
【００１２】
【図１】本発明の実施の形態１におけるドラム式洗濯機の概略構造を示す断面図
【図２】（ａ）同ドラム式洗濯機に用いた循環ポンプの断面図（ｂ）同ドラム式洗濯機に用いた循環ポンプの側面図
【図３】（ａ）同ドラム式洗濯機の水槽の要部斜視図（ｂ）同ドラム式洗濯機の水槽の前端壁を内方より見た平面図
【図４】同ドラム式洗濯機の水循環経路の導水路近傍の断面図
【図５】（ａ）同ドラム式洗濯機の水循環経路の吐出口近傍の断面図（ｂ）同ドラム式洗濯機の水循環経路の他の吐出口近傍の断面図
【図６】同ドラム式洗濯機の洗濯水の噴射の状態を示す正面図
【図７】（ａ）本発明の実施の形態２におけるドラム式洗濯機の水循環経路の吐出口近傍の断面図（ｂ）同ドラム式洗濯機の水循環経路の他の吐出口近傍の断面図
【図８】本発明の実施の形態３におけるドラム式洗濯機の水循環経路の吐出口近傍の断面図
【図９】本発明の実施の形態４におけるドラム式洗濯機の水循環経路の吐出口近傍の断面図
【図１０】（ａ）本発明の実施の形態５におけるドラム式洗濯機の水循環経路の吐出口近傍の拡大断面図（ｂ）同ドラム式洗濯機の水循環経路の他の吐出口近傍の拡大断面図
【図１１】本発明の実施の形態６におけるドラム式洗濯機の水循環経路の吐出口近傍の断面図
【図１２】本発明の実施の形態７におけるドラム式洗濯機の水循環経路の導水路近傍の断面図
【図１３】本発明の実施の形態８におけるドラム式洗濯機の水循環経路の導水路近傍の断面図
【発明を実施するための形態】
【００１３】
第１の発明は、正面側に第１の開口を有し有底円筒形に形成された回転ドラムと、前記第１の開口に対応して第２の開口を有するとともに前記回転ドラムを正面側から底部となる背面側に向けて回転軸方向が水平または水平方向から下向き傾斜となるようにして設置する水槽と、前記回転ドラムを回転制御するモータと、前記水槽内の洗濯水を前記水槽に接続した循環経路を通じ循環ポンプにより前記回転ドラム内に循環させる水循環経路とを備え、前記水循環経路は、前記水槽の前端壁に設けられ前記循環経路の循環ポンプからの吐出側経路が接続される導水路と、前記水循環経路に設けられ洗濯水を前記回転ドラム内に噴射する複数の噴射口とを有し、前記モータ、循環ポンプ等を駆動して洗浄工程、すすぎ工程の少なくとも１つが行えるドラム式洗濯機において、前記導水路を前記水槽の内壁と、前記水槽の内壁に取り付けられたカバーにより構成し、前記複数の噴射口から噴射される洗濯水の拡がりを少なくとも２種類有することにより、循環ポンプの吐出側の経路を水槽に一体に構成した接続部までの配管を振動絶縁のためホースで行い、接続部と一体に構成された水槽の内壁と、前記水槽の内壁に取り付けられたカバーにより構成された導水路及び噴射口を通じて噴射を行うため、仮に導水路で洗浄水の漏れがあったとしても、水槽内で完結するため機外への水漏れ等の不安全な状態に陥ることなく、また導水路の断面積をホースに比べ大きく取れるので低損失の水循環経路が実現できることから、循環ポンプからの吐出側経路による循環水の回転ドラム内の衣類への吐出の効率を上げることで洗浄力の高いドラム式洗濯機の実現を信頼性の高い簡易な構成で実現することが可能となる。
【００１４】
また、複数の噴射口から噴射される洗濯水の拡がりを少なくとも２種類有することにより、回転ドラムの第１の開口付近にある洗濯物や、回転ドラムの中心付近から奥部分にある洗濯物のいずれに対しても早期に濡らし、洗浄水の効果を高めることができる。
【００１５】
第２の発明は、特に、第１の発明の水槽は、水槽の内壁に膨出部を設けることにより、導水路の断面積を大きくとることが可能となり低圧損の水循環経路を実現することで、効率の高いシャワーによる洗浄が可能となる。
【００１６】
第３の発明は、特に、第１または第２の発明のカバーに膨出部を設けたことで、より導水路の断面積を大きくとることや水槽の膨出を抑えることが可能となり、よりコンパクトで低圧損の水循環経路を実現することが可能となる。
【００１７】
第４の発明は、特に、第１〜３のいずれか１つの発明の導水路は、回転ドラムの開口の中心に対し略周方向に配置することで、導水路を回転ドラムの回転方向の任意の位置に構成が可能となり、循環ポンプの接続部と噴射口を分けて構成することが可能となり接続部の他の要因による位置の制約に無関係により洗浄効果の得られる位置に噴射口を構成することが可能となる。
【００１８】
第５の発明は、特に、第１〜４のいずれか１つの発明の導水路は、回転ドラムの開口の中心を通る垂線に対し左右方向に配置することで、回転ドラムの回転方向に依存する衣類の挙動に合わせた位置に噴射口を構成することが可能となり、より高効率で噴射による洗浄を実現することが可能となる。
【００１９】
第６の発明は、特に、第１〜５のいずれか１つの発明の導水路は、前記カバーと前記水槽の内壁との間で設けた吐出口を有することにより、回転ドラム内の洗濯物が引っ掛かるような特別な形状、構造の噴出口なしに吐出可能となり、洗濯物を傷めることなく噴射による高効率の洗浄を行うことが簡易な構成で可能となる。
【００２０】
第７の発明は、特に、第１〜６のいずれか１つの発明のカバーは、前記循環ポンプから
の配管の導水路への接続部の接続空間のカバーを兼ねたことにより、設計的な要因や金型構造上の要因から、循環ポンプからの配管の導水路への接続部の位置や構造の制約を、カバーで接続部の接続空間の蓋を兼ねることで容易に解決することが可能となる。
【００２１】
第８の発明は、特に、第１〜７のいずれか１つの発明は、カバーと前記水槽の内壁の間にシール部材を介して導水路を構成したことにより、循環ポンプで加圧された洗浄水を漏れなく効率的に噴射可能となるため、より高効率の洗浄を行うことが可能となる。
【００２２】
第９の発明は、特に、第１〜７のいずれか１つの発明は、カバーと前記水槽の内壁の間を溶着して導水路を構成したことにより、簡易な構成で循環ポンプで加圧された洗浄水を漏れなく効率的に噴射可能となり、より高効率の洗浄を行うことが可能となる。
【００２３】
以下、本発明の実施の形態について、図面を参照しながら説明する。なお、この実施の形態によって本発明が限定されるものではない。
【００２４】
（実施の形態１）
図１は、本発明の実施の形態１におけるドラム式洗浄機の概略構造を示す断面図、図２（ａ）は、同ドラム式洗浄機に用いた循環ポンプの断面図、図２（ｂ）は、同ドラム式洗浄機に用いた循環ポンプの側面図、図３（ａ）は、同ドラム式洗浄機の水槽の要部斜視図、図３（ｂ）は、同ドラム式洗浄機の水槽の前端壁を内方より見た平面図、図４は、同ドラム式洗浄機の水循環経路の導水路近傍の断面図、図５（ａ）は、同ドラム式洗浄機の水循環経路の吐出口近傍の断面図、図５（ｂ）は、同ドラム式洗浄機の水循環経路の他の吐出口近傍の断面図、図６は、同ドラム式洗浄機の洗浄水の噴射の状態を示す正面図を示すものである。
【００２５】
本実施の形態１のドラム式洗浄機は、モード設定や制御プログラムに従い、図１に示すモータ６、給水系７、排水系８、乾燥系９を自動制御して少なくとも洗浄工程、すすぎ工程、脱水工程、乾燥工程を行う機能を有したいわゆるドラム式洗浄乾燥機を構成している。しかし、乾燥系９は省略することができる。また、上記に併せ、洗浄準備工程時、洗浄工程時、すすぎ工程時など必要に応じ、水循環経路１６にて水槽３内の洗浄水を循環させて洗剤の早期溶け込みや偏りの防止、洗浄やすすぎの機能向上を図る機能も有している。
【００２６】
なお、給水系７は電磁弁の開閉によって実線矢印で示すように適時に給水でき、また給水を利用して洗剤収容部の洗剤を水槽３内に適時に投入できるようになっている。排水系８は排水弁１９の開閉によって洗浄工程終了時、すすぎ工程終了時など必要なときに一点鎖線矢印で示すように排水できるようになっている。また、水循環経路１６は水槽３内の洗濯水を循環ポンプ２０により吸い込み水槽３内に戻すことを繰り返す。
【００２７】
運転コース等のモードや各種機能の選択は、洗濯機本体２の前面上部に設けられる操作パネル２１から入力して行い、制御系２２がその入力情報を基に操作パネル２１上の表示手段で表示して使用者に知らせるとともに、操作パネル２１での入力設定手段により運転開始が設定されると、水槽３内の水位を検知する水位検知手段等からのデータを入力して駆動を開始して、排水弁、給水弁などの動作を制御し、洗浄、脱水、乾燥などの運転を行う。
【００２８】
なお、洗濯機本体２の正面側には本体開口２ｂが設けられ、水槽３の正面側に設けた第２の開口１３および回転ドラム４の正面側に設けた第１の開口５４を介して回転ドラム４内に洗濯物を出し入れできるように構成している。本体開口２ｂには、開閉扉５が設けられ、水槽３の第２の開口１３をその口縁に装着したシール材１４を介し密閉し、また開くことができるようにしている。
【００２９】
なお、回転ドラム４の駆動は、回転ドラム４の９０度を超え１８０度未満の急正弧回転、急逆弧回転を交互に繰り返す正逆弧回転駆動モードと、回転ドラム４の回転によって持ち上げられた洗濯物がその自重が勝る高さから落下する挙動を示す回転速度での前記回転ドラム４の連続回転を正逆交互に繰り返す正逆連続回転駆動モードとを備え、洗浄工程または、洗浄工程およびすすぎ工程において、前記正逆弧回転駆動モードと前記正逆連続回転駆動モードとを、交互に実行するようにしている。これにより、回転ドラム４の９０度を超え１８０度未満の急速度での弧回転および急激な制動により洗濯物を最大限９０度を超えて１８０度未満まで持ち上げられるし、洗濯物の持ち上げの最終段階の急激な制動により制動状態が生じて洗濯物をその慣性および自重により回転ドラム４内面から剥がしてその自重によって持ち上げ側とは左右反対の側に落すことが確実に達成できるので、洗濯水を含んで十分に膨潤し、かつ緩み、滑りやすい状態にある洗濯物に対して特に高い解し作用を与えられるし、機械力を洗濯物に及ぼすことができるので洗浄性能を高めることができる。さらに、弧回転駆動の正方向の急正弧回転と逆方向の急逆弧回転とを交互に繰り返すことで正逆弧回転駆動モードとし、これによって、正逆交互の急弧回転駆動によって洗濯物の持ち上げ位置、落下位置を毎回の弧回転駆動において左右交互に入れ換えられるので、洗濯物が絡むことをより防ぎながら解し作用をさらに高められるとともに、機械力を洗濯物に及ぼす回数を増やすことができるので洗浄性能を高めることができる。また、高い解し作用により、洗浄、すすぎ工程が進行することで生じる洗濯物同士の絡みが抑制できるので、正逆弧回転モードにおける効果的な叩き洗いを持続的に実行して、洗浄効果およびすすぎ効果を高めることができる。
【００３０】
また、正逆弧回転駆動モードのみでは、洗濯物の絡み、捩れ、皺より等が軽減される一方で、洗濯物の上下方向の位置が入れ替わりにくく、回転ドラム４底部の洗濯物は動きにくいため、洗いむらが生じやすいが、正逆連続回転駆動モードを併用することによって、洗濯物の上下方向の位置の入れ替わりを実現することができ、すなわち、正逆連続回転駆動モードにおける洗濯物の絡み、捩れ、皺よりを軽減するとともに、正逆弧回転駆動モードにおける洗濯物に対する機械力付与の不均衡を軽減することで、両モードによって洗浄やすすぎ中の洗濯物に異なった２通りの挙動、具体的には正逆弧回転駆動モードによっては洗濯物の絡み、捩れ、皺よりを軽減しつつしっかりした手もみ洗いの挙動を、正逆連続回転駆動モードによっては洗濯物を大きく連続に動かしむらを軽減しながら洗う、均一で強い汚れに対する効果的な洗い挙動を与えられる。
【００３１】
循環ポンプ２０は、台板２ａに固定し、水循環経路１６の循環ポンプ２０からの吐出側経路１６ｂは、水槽３の開口１３が位置する洗濯機本体２の前方に向けて延びたものとしている。具体的には、循環ポンプ２０は、図２に示すようにインペラ２０ａを収容した樹脂製のポンプケーシング２０ｂがその開口側で、循環モータ２０ｃのモータケーシング２０ｄの前端にある軸受隔壁２０ｄ１に当てがって一体化し、インペラ２０ａをモータ軸２０ｅに直結したものとしてあり、これを樹脂製の取り付け座３５に嵌め付けてある。
【００３２】
水槽３の前端壁３ｈの下半分の部分には、略Ｙ字状に周方向に形成され前方に膨出した膨出部３ａが形成され、膨出部３ａと外形が略同一形状のカバー５５が、内方より、パッキン５５ａを間に挟んで、ネジの締結などにより取り付けられることで、導水路５５ｂを形成している。
【００３３】
膨出部３ａの下端部には、横方向に延びた連結部５１の一端が接続され、連結部５１の他端は、水循環経路１６の吐出側経路１６ｂが接続されている。カバー５５は、前記循環ポンプ２０からの配管の導水路５５ｂへの連結部５１の接続空間５１ａのカバーを兼ねていて、この構成により設計的な要因や金型構造上の要因から、循環ポンプ２０からの配管の導水路５５ｂへの連結部５１の位置や構造の制約を、カバー５５で連結部５１の接続空
間５１ａの蓋を兼ねることで容易に解決することが可能となる。
【００３４】
また、略Ｙ字状に形成されたカバー５５のそれぞれの上端部分は、パッキン５５ａを含めたシール構成の無い切欠き部５５ｃが形成され、それによって、膨出部３ａとカバー５５とで略Ｙ字状に分岐して形成された導水路５５ｂのそれぞれの上端部分には、切欠き部５５ｃとこれに対応する水槽３の前端壁３ｈの裏面との間で周方向域に広がった開口を有する吐出口５５ｄが形成されている。
【００３５】
循環ポンプ２０により加圧された洗濯水は、水循環経路１６の吐出側経路１６ｂを介して連結部５１より導水路５５ｂに流入し、吐出口５５ｄより水槽３の前端壁３ｈの裏面とこれに対応する回転ドラム４の前端壁４ｂの表面との間に洗濯水を噴射し、それらの間で形成する流路５２を通じて回転ドラム４内に吐出するようにしてある。吐出口５５ｄは、水槽３の前端壁３ｈの裏面において図５（ａ）に示すように回転ドラム４の回転中心方向、具体的には、水槽３の前端壁３ｈおよび回転ドラム４の前端壁４ｂ間の流路５２における環状の噴射口５３に向かって開口しているので、吐出口５５ｄから噴射する洗濯水は流路５２を回転ドラム４の回転中心側、具体的には噴射口５３に向かって径方向に回転ドラム４の内側回転域に効率よく吐出させられ、洗濯物の多少にかかわらず洗濯水を効率よく供与できる。
【００３６】
特に、水槽３の前端壁３ｈは吐出口５５ｄに対応する位置から内周近くに向かって洗濯機本体２の後部側に傾斜した傾斜面３ｈ１およびこの傾斜面３ｈ１から内周まで、回転ドラム４の開口５４側に向け傾斜した案内面５６を有していることにより、流路５２に噴射される洗濯水を図５（ａ）に示すように、傾斜面３ｈ１から案内面５６に沿わせて、噴射口５３から回転ドラム４の開口５４を通じ回転ドラム４の奥側に向け吐出させられるので、洗濯水の洗濯物への供与効率を高められる。
【００３７】
ここで、図５（ａ）、（ｂ）に示すように、複数の吐出口５５ｄに対し、それぞれ傾斜角度の異なる案内面５６、５７を設ける構成としている。例えば、図５（ａ）に示すように、分岐した導水路５５ｂの正面から見て左側の吐出口５５ｄ（図３（ｂ）における右側）に対応する案内面５６の傾斜角度をαとし、また、図５（ｂ）に示すように、導水路５５ｂの正面から見て右側の吐出口５５ｄ（図３（ｂ）における左側）に対応する案内面５７の傾斜角度をβとして、α＞βとすることで、図６に示すように、正面から見て左側の噴射口５３からの洗濯水（図５（ａ）に示す矢印ａ）は、シャワー形状Ａのように比較的上方向に噴射し、一方、正面から見て右側の噴射口５３からの洗濯水（図５（ｂ）に示す矢印ｂ）は、シャワー形状Ｂのように、シャワー形状Ａよりも下方向に向けて噴射することとなる。すなわち、それぞれの吐出口５５ｄから噴射された洗濯水は、傾斜角度の異なる案内面５６、５７に沿って流れ、噴射口５３から第１の開口５４を介して回転ドラム４内に噴射されるため、回転ドラム４の回転軸に対する噴射角度の異なる噴射を実現できる。
【００３８】
また、傾斜角度は、噴射の拡がりにも影響する。傾斜角度が小さい場合、傾斜面３ｈ１から案内面５７に角度が変化する近傍で、傾斜面３ｈ１に沿って流れてきた洗濯水が案内面５７で急激に角度が変わるため、案内面５７に衝突する状態となる。この状態では、案内面５７に沿う流れとともに、周方向への拡がりが発生し、拡がりを有した噴射となる。すなわち、図６に示すように、傾斜角度がαである左側の噴射口５３から噴射する洗濯水のシャワー形状Ａに対し、傾斜角度がβ（上記のように、α＞βの関係を有する）である右側の噴射口５３から噴射する洗濯水のシャワー形状Ｂの方が、拡がりを有した噴射となっている。発明者らの試験結果では、傾斜角が１２０度付近までは、大きく拡がり拡散した噴射となり、１３０度以上では、拡がりの小さい膜状の噴射となった。
【００３９】
上記の構成により、噴射口５３からの洗濯水の回転ドラム４の回転軸に対する噴射角度を異ならせるとともに、異なる拡がりとすることで、低容量や高容量の洗濯物のそれぞれに対応した最適な噴射角度を設けることが可能となる。
【００４０】
例えば、洗浄開始時の洗濯物が洗浄液を含んでいない状態でかさばっている際に、図６に示す左側の噴射口５３近傍が洗濯物によって周方向に塞がれた場合でも、右側の噴射口５３から回転ドラム４の第１の開口５４付近に向けて大きな拡がりを有する噴射を行い、噴射口５３近傍の洗濯物を早期に濡らし体積を減らすことで、洗濯物による左側の噴射口５３近傍の塞ぎを解消することができる。
【００４１】
また、図６に示す左側の噴射口５３からは回転ドラム４の中心軸方向に向かって拡がりが小さく回転ドラム４の奥方向に向けた噴射を行うことで、右側の噴射口５３からの大きな拡がりを有する噴射では濡れにくい回転ドラム４の中心付近から奥部分の洗濯物も早期に濡らし、洗濯水の効果を高めるとともに、中心付近から奥部分の洗濯物の体積を洗濯水を染み込ませることで減らし、回転ドラム４内で洗濯物が早期に動きやすくなるので、叩き洗いの効果も向上するとともに、洗濯物の体積が減ることによりできた隙間から洗濯物全体への噴射が可能となり相乗的に洗浄効果を高めることが可能となる。
【００４２】
以上の効果により、回転ドラム４内の洗濯物にその多少にかかわらず洗浄液を有効に働かせさられ、また吐出口５５ｄが回転ドラム４内の洗濯物と接触しない位置にあるので、洗濯物が引っ掛かって洗い、すすぎ、乾燥などに必要な挙動を乱したり、あるいは洗濯物を傷めたり、破れたりするようなことを防止することができるし、見栄えのよい外観が損なわれない。洗濯水の噴射効果は、正逆連続回転駆動モードで上下が入れ替わる洗濯物の挙動、正逆弧回転駆動モード時の左右が入れ替わる洗濯物の挙動との組合せでより高められる。
【００４３】
なお、本実施の形態１では、吐出口５５ｄは左右の２箇所としたが、３箇所以上としても、同等の効果を有することは言うまでも無い。
【００４４】
（実施の形態２）
図７（ａ）は、本発明の実施の形態２におけるドラム式洗濯機の水循環経路の吐出口近傍の断面図、図７（ｂ）は、同ドラム式洗濯機の水循環経路の他の吐出口近傍の断面図を示すものである。実施の形態１と同一構成については、同一符号を付し、その説明を省略する。
【００４５】
図７（ａ）、（ｂ）に示すように、案内面５８、５９は湾曲形状とし、左右の吐出口５５ｄに対し、それぞれ湾曲半径の異なる案内面５８、５９としている。例えば、図７（ａ）に示すように、分岐した導水路５５ｂの正面から見て左側の吐出口５５ｄ（図３（ｂ）における右側）に対応する案内面５８の湾曲半径をγとし、また、図７（ｂ）に示すように、導水路５５ｂの正面から見て右側の吐出口５５ｄ（図３（ｂ）における左側）に対応する案内面５９の湾曲半径をδとして、γ＞δとすることで、図６に示すように、正面から見て左側の噴射口５３からの洗濯水（図７（ａ）に示す矢印ｃ）は、シャワー形状Ａのように比較的上方向に噴射し、一方、正面から見て右側の噴射口５３からの洗濯水（図７（ｂ）に示す矢印ｄ）は、シャワー形状Ｂのように、シャワー形状Ａよりも下方向に向けて噴射することとなる。すなわち、それぞれの吐出口５５ｄから噴射された洗濯水は、湾曲半径の異なる案内面５８、５９に沿って流れ、噴射口５３から第１の開口５４を介して回転ドラム４内に噴射されるため、回転ドラム４の回転軸に対する噴射角度の異なる噴射を実現できる。
【００４６】
また、湾曲半径は、噴射の拡がりにも影響する。湾曲半径が小さい場合、傾斜面３ｈ１
から案内面５９に変化する近傍で、傾斜面３ｈ１に沿って流れてきた洗濯水が案内面５９の湾曲で急激に角度が変わるため、案内面５９に衝突する状態となる。この状態では、案内面５９に沿う流れとともに、周方向への拡がりが発生し、拡がりを有した噴射となる。すなわち、図６に示すように、湾曲半径がγである左側の噴射口５３から噴射する洗濯水のシャワー形状Ａに対し、傾斜角度がδ（上記のように、γ＞δの関係を有する）である右側の噴射口５３から噴射する洗濯水のシャワー形状Ｂの方が、拡がりを有した噴射となっている。
【００４７】
すなわち、本実施の形態２においても、上記実施の形態１と同等の作用効果を有することができる。
【００４８】
（実施の形態３）
図８は、本発明の実施の形態３におけるドラム式洗濯機の水循環経路の吐出口近傍の断面図を示すものである。実施の形態１と同一構成については、同一符号を付し、その説明を省略する。
【００４９】
図８に示すように、傾斜面３ｈ１と傾斜角度の異なる案内面６１とを湾曲面６０で接続するように構成している。これにより、吐出口５５ｄから吐出した洗濯水は、傾斜面３ｈ１から湾曲面６０を介して傾斜角度の異なる案内面６１へスムーズに流れるため、噴射口５３からの噴射が、より安定した噴射となることを実現することができる。
【００５０】
また、噴射の回転ドラム４の回転軸に対する噴射角度は案内面６１の傾斜角度で決め、湾曲面６０の湾曲半径で噴射の拡がり角度が決めることが個別にできるようになり、噴射の拡がり角度を広げながら噴射角度を立てたり、噴射の拡がり角度を抑えながら噴射角度を寝かすことが可能となり、湾曲面６０と案内面６１の形状を二種類以上にすることで、それぞれの噴射口からの洗濯水の噴射の回転ドラムの回転軸に対する噴射角度や、噴射の拡がり角度が異なる噴射が実現可能となる。
【００５１】
（実施の形態４）
図９は、本発明の実施の形態４におけるドラム式洗濯機の水循環経路の吐出口近傍の断面図を示すものである。実施の形態１と同一構成については、同一符号を付し、その説明を省略する。
【００５２】
図９に示すように、本実施の形態４では、案内面を複数の傾斜角度を持つ面で構成している。
【００５３】
図９において、傾斜面３ｈ１から湾曲面６０を介して案内面６２に変化する近傍では傾斜角εを小さくとり、傾斜面３ｈ１に沿って流れてきた洗濯水を案内面６２で急激に角度を変え、案内面６２に衝突させ洗濯水の流れを拡げ、傾斜角εに比べ大きい傾斜角ζの案内面６３で回転ドラム４の回転軸に対する噴射角度が大きい噴射を実現する。傾斜角εと傾斜角ζの差が大きく、洗濯水の流れが案内面６３に対し剥離が生じ噴射が不安定な場合は、さらに中間の傾斜角を有した面を間に追加してもよい。これらの形状は、案内面６２、６３近傍の偏肉を抑えることもできる。回転ドラム４の回転軸に対する噴射角度が大きく且つ拡がりを持った噴射を実現する際などに、案内面を複数の傾斜角度を持つ面で構成してもよい。
【００５４】
（実施の形態５）
図１０（ａ）は、本発明の実施の形態５におけるドラム式洗濯機の水循環経路の吐出口近傍の拡大断面図、図１０（ｂ）は、同ドラム式洗濯機の水循環経路の他の吐出口近傍の拡大断面図を示すものである。実施の形態１と同一構成については、同一符号を付し、そ
の説明を省略する。
【００５５】
図１０（ａ）に示すように、洗濯水の回転ドラム４の回転軸に対する噴射角度は、開口５４近傍の案内面５６の、延長線上あるいは接線方向で決まることから、前端壁３ｈの裏面の端部は所定角の面取り形状６５にすることで噴射角度を変えてもよく、また面取り形状６５により洗濯物を傷めたり、破れたりするようなことを防止する効果も得られる。同様に図９（ｂ）に示すように面取り形状６５を丸み形状６６としてもよい。
【００５６】
（実施の形態６）
図１１は、本発明の実施の形態６におけるドラム式洗濯機の水循環経路の吐出口近傍の断面図を示すものである。実施の形態１と同一構成については、同一符号を付し、その説明を省略する。
【００５７】
図１１に示すように、噴射の拡がり、噴射角度、噴射の安定性、洗濯物の傷み、破れ、偏肉を考慮した、複数の傾斜角を持つ傾斜面６４、６４ａや湾曲面６０、６０ａ、６０ｂ、６０ｃ、端部などを徐変し構成している。
【００５８】
（実施の形態７）
図１２は、本発明の実施の形態７におけるドラム式洗濯機の水循環経路の導水路近傍の断面図を示すものである。実施の形態１と同一構成については、同一符号を付し、その説明を省略する。
【００５９】
本発明の実施の形態７においては、図１２に示すように、導水路５５ｅは、カバー５５に、回転ドラム４側に突出した膨出部５５ｆを設けており、この膨出部５５ｆにより導水路５５ｅの断面積を、実施の形態１に示した導水路５５ｂの断面積より大きくとることができる。また、導水路５５ｅの断面積を導水路５５ｂと同一とした場合、水槽３の前方への膨出を抑えることが可能となり、よりコンパクトで低圧損の水循環経路１６を実現することが可能となる。
【００６０】
（実施の形態８）
図１３は、本発明の実施の形態８におけるドラム式洗濯機の水循環経路の導水路近傍の断面図を示すものである。実施の形態１と同一構成については、同一符号を付し、その説明を省略する。
【００６１】
本発明の実施の形態８においては、図１３に示すように、カバー５５と水槽３の内壁の間を振動溶着あるいは超音波溶着などによる溶着部５５ｇを介して導水路５５ｈを構成している。この構成によれば、シール部材やネジなどの固定を廃止した簡易な構成で循環ポンプで加圧された洗浄水を漏れなく効率的に噴射可能となり、高効率の洗浄を低コストで行うことが可能となる。
【産業上の利用可能性】
【００６２】
本発明にかかるドラム式洗濯機は、循環ポンプからの吐出側経路による循環水の回転ドラム内の衣類への吐出の効率を上げることで洗浄力の高いドラム式洗濯機の実現を信頼性の高い簡易な構成で実現することが可能となるので、有底円筒形に形成された回転ドラムを、開口する正面側から底部となる背面側に向けて回転軸方向が水平または水平方向から下向き傾斜となるようにして水槽内に設置し、回転ドラムを回転駆動することにより回転ドラム内に収容した洗濯物を洗濯するドラム式洗濯機等として有用である。
【符号の説明】
【００６３】
３  水槽
１６  水循環経路
２０  循環ポンプ
５１  連結部
５５  カバー
５５ｂ  導水路
【図１】
2014198258.tif 000003
【図２】
2014198258.tif 000004
【図３】
2014198258.tif 000005
【図４】
2014198258.tif 000006
【図５】
2014198258.tif 000007
【図６】
2014198258.tif 000008
【図７】
2014198258.tif 000009
【図８】
2014198258.tif 000010
【図９】
2014198258.tif 000011
【図１０】
2014198258.tif 000012
【図１１】
2014198258.tif 000013
【図１２】
2014198258.tif 000014
【図１３】
2014198258.tif 000015